(57)【要約】【課題】蛍光の生成に関わることなく散乱又は反射された未利用励起光を有効利用することで励起光の利用効率を高くすることが可能な光源装置を提供する。【解決手段】励起光を生成する複数の固体光源を有する固体光源アレイ３０及びコリメーターレンズアレイ４０を有する励起光生成部２０と、励起光を反射する第１励起光反射面５２を有する第１励起光反射部５０と、集光光学系６０と、励起光から蛍光を生成する蛍光層７２を有する蛍光生成部７０とを備え、第１励起光反射部５０は、蛍光生成部７０で生成された蛍光を通過させる光源装置であって、蛍光生成部７０へ向かう励起光を遮らない位置に配置され、蛍光生成部７０で生成された蛍光を通過させるとともに未利用励起光を蛍光層７２に向けて反射する第２励起光反射面８２を有する第２励起光反射部８０をさらに備えることを特徴とする光源装置１０。【選択図】図２
2012013977.tif 000002
【特許請求の範囲】
【請求項１】
励起光を生成する複数の固体光源を有する固体光源アレイと、前記複数の固体光源に対応して設けられ、前記複数の固体光源で生成された励起光をそれぞれ略平行化する複数のコリメーターレンズを有するコリメーターレンズアレイとを有する励起光生成部と、
前記励起光生成部から射出された前記励起光を所定の方向に向けて反射する第１励起光反射面を有する第１励起光反射部と、
前記第１励起光反射部で反射された前記励起光を所定の集光位置に集光する集光光学系と、
前記集光位置の近傍に位置し、前記集光光学系で集光された前記励起光から蛍光を生成する蛍光層と、当該蛍光層における前記集光光学系の反対側に位置する反射部材とを有する蛍光生成部とを備え、
前記第１励起光反射部は、前記蛍光生成部で生成された前記蛍光のうち少なくとも一部を通過させる光源装置であって、
前記第１励起光反射部から前記蛍光生成部へと向かう前記励起光を遮らない位置に配置され、前記蛍光生成部で生成された前記蛍光を通過させるとともに前記蛍光生成部において前記蛍光の生成に関わることなく散乱又は反射された前記励起光の全部又は一部を前記蛍光層に向けて反射する第２励起光反射面を有する第２励起光反射部をさらに備えることを特徴とする光源装置。
【請求項２】
請求項１に記載の光源装置において、
前記固体光源は、半導体レーザーからなることを特徴とする光源装置。
【請求項３】
請求項１又は２に記載の光源装置において、
前記固体光源アレイにおいては、前記複数の固体光源がマトリクス状に配置され、
前記第１励起光反射部は、前記第１励起光反射面としてストライプ状に形成された複数の第１励起光反射面を有し、
前記第２励起光反射部は、前記第２励起光反射面としてストライプ状に形成された複数の第２励起光反射面を有し、
前記第１励起光反射部及び前記第２励起光反射部は、前記蛍光生成部から前記第１励起光反射部及び前記第２励起光反射部を見たとき、前記第１励起光反射面及び前記第２励起光反射面が互い違いに配置されるよう構成されていることを特徴とする光源装置。
【請求項４】
請求項１又は２に記載の光源装置において、
前記第１励起光反射部は、前記蛍光生成部において前記蛍光の生成に関わることなく散乱又は反射された前記励起光を通過する通過領域をさらに有し、
前記第２励起光反射部は、前記第２励起光反射面として単一の第２励起光反射面を有し、
前記蛍光生成部から前記第１励起光反射部及び前記第２励起光反射部を見たとき、前記第２励起光反射部は、前記第１励起光反射部の奥側に配置されていることを特徴とする光源装置。
【請求項５】
請求項１又は２に記載の光源装置において、
前記第１励起光反射部は、前記第１励起光反射面として単一の第１励起光反射面を有し、
前記第２励起光反射部は、前記第１励起光反射面からの前記励起光を通過する通過領域をさらに有し、
前記蛍光生成部から前記第１励起光反射部及び前記第２励起光反射部を見たとき、前記第２励起光反射部は、前記第１励起光反射部の手前側に配置されていることを特徴とする光源装置。
【請求項６】
請求項１〜５のいずれかに記載の光源装置において、
前記第１励起光反射面は、前記励起光を反射し前記蛍光を通過させるダイクロイックミラーからなることを特徴とする光源装置。
【請求項７】
請求項１〜５のいずれかに記載の光源装置において、
前記第１励起光反射面は、一方の偏光からなる光を反射し他方の偏光からなる光を通過させる偏光ビームスプリッターからなり、
前記励起光生成部から射出された前記励起光が前記一方の偏光からなる励起光として前記第１励起光反射部に入射するように構成されていることを特徴とする光源装置。
【請求項８】
請求項１〜７のいずれかに記載の光源装置において、
前記第２励起光反射面は、前記励起光を反射し前記蛍光を通過させるダイクロイックミラーからなることを特徴とする光源装置。
【請求項９】
請求項１〜８のいずれかに記載の光源装置において、
前記蛍光生成部は、前記集光光学系で集光された前記励起光がデフォーカス状態で前記蛍光層に入射する位置に配置されていることを特徴とする光源装置。
【請求項１０】
請求項１〜９のいずれかに記載の光源装置を備える照明装置と、
前記照明装置からの光を画像情報に応じて変調する光変調装置と、
前記光変調装置からの変調光を投写画像として投写する投写光学系とを備えることを特徴とするプロジェクター。
【発明の詳細な説明】
【技術分野】
【０００１】
本発明は、光源装置及びプロジェクターに関する。
【背景技術】
【０００２】
従来、特定波長の励起光を生成する固体光源と、固体光源で生成された励起光から所望の色光を蛍光として生成する蛍光層を有する蛍光生成部とを備える光源装置が知られている。また、このような光源装置を備えるプロジェクターが知られている（例えば、特許文献１参照。）。従来の光源装置によれば、特定波長の励起光を生成する固体光源を用いて所望の色光を得ることが可能となる。
【先行技術文献】
【特許文献】
【０００３】
【特許文献１】特開２００９−２７７５１６号公報
【発明の概要】
【発明が解決しようとする課題】
【０００４】
しかしながら、従来の光源装置においては、蛍光層に入射される励起光のうち、蛍光の生成に関わることなく散乱又は反射される未利用励起光が存在し、このような未利用励起光の存在に起因して、励起光の利用効率を高くすることが困難であるという問題がある。
【０００５】
そこで、本発明は、上記した問題を解決するためになされたもので、上記した未利用励起光を有効利用することで励起光の利用効率を高くすることが可能な光源装置を提供することを目的とする。また、このような光源装置を備え、従来のプロジェクターよりも高輝度化が可能なプロジェクターを提供することを目的とする。
【課題を解決するための手段】
【０００６】
［１］本発明の光源装置は、励起光を生成する複数の固体光源を有する固体光源アレイと、前記複数の固体光源に対応して設けられ、前記複数の固体光源で生成された励起光をそれぞれ略平行化する複数のコリメーターレンズを有するコリメーターレンズアレイとを有する励起光生成部と、前記励起光生成部から射出された前記励起光を所定の方向に向けて反射する第１励起光反射面を有する第１励起光反射部と、前記第１励起光反射部で反射された前記励起光を所定の集光位置に集光する集光光学系と、前記集光位置の近傍に位置し、前記集光光学系で集光された前記励起光から蛍光を生成する蛍光層と、当該蛍光層における前記集光光学系の反対側に位置する反射部材とを有する蛍光生成部とを備え、前記第１励起光反射部は、前記蛍光生成部で生成された前記蛍光のうち少なくとも一部を通過させる光源装置であって、前記第１励起光反射部から前記蛍光生成部へと向かう前記励起光を遮らない位置に配置され、前記蛍光生成部で生成された前記蛍光を通過させるとともに前記蛍光生成部において前記蛍光の生成に関わることなく散乱又は反射された前記励起光の全部又は一部を前記蛍光層に向けて反射する第２励起光反射面を有する第２励起光反射部をさらに備えることを特徴とする。
【０００７】
このため、本発明の光源装置によれば、蛍光の生成に関わることなく散乱又は反射された未利用励起光の全部又は一部を蛍光層に向けて反射する第２励起光反射面を備えるため、蛍光層は上記した未利用励起光からも蛍光を生成することができるようになる。その結果、本発明の光源装置は、上記した未利用励起光を有効利用することで励起光の利用効率を高くすることが可能な光源装置となる。
【０００８】
また、本発明の光源装置によれば、複数の固体光源で生成された励起光を集めて蛍光を生成するようにしているため、各固体光源に過大な熱的負荷を与えることなく光源装置を一層高輝度化することが可能となる。
【０００９】
また、本発明の光源装置によれば、従来の光源装置と同様に、特定波長の励起光を生成する固体光源を用いて所望の色光を得ることが可能となる。
【００１０】
なお、本発明の光源装置においては、第１励起光反射部から蛍光生成部へと向かう励起光を遮らない位置に第２励起光反射部が配置されているため、第２励起光反射部の存在に起因して、励起光の利用効率を低下させてしまうこともない。
また、第２励起光反射部は蛍光生成部で生成された蛍光を通過させるため、第２励起光反射部の存在に起因して、蛍光生成部から取り出せる蛍光の光量を減少させてしまうこともない。
【００１１】
［２］本発明の光源装置においては、前記固体光源は、半導体レーザーからなることが好ましい。
【００１２】
半導体レーザーは小型で高出力であるため、上記のような構成とすることにより、小型で高出力な光源装置となる。
また、半導体レーザーは、集光性の良いレーザー光を射出するため、励起光を遮らない位置に第２励起光反射部を適正に配置することが容易になり、第２励起光反射部を設けることに起因して励起光の利用効率を低下させることがなくなる。
【００１３】
なお、半導体レーザーは、発光領域の長辺が、発光領域の短辺の３倍以上の長さであることが好ましい。
また、半導体レーザーは、発光領域の短辺方向に沿った拡がり角が、発光領域の長辺方向に沿った拡がり角の３倍以上の大きさとなることが好ましい。
【００１４】
［３］本発明の光源装置においては、前記固体光源アレイにおいては、前記複数の固体光源がマトリクス状に配置され、前記第１励起光反射部は、前記第１励起光反射面としてストライプ状に形成された複数の第１励起光反射面を有し、前記第２励起光反射部は、前記第２励起光反射面としてストライプ状に形成された複数の第２励起光反射面を有し、前記第１励起光反射部及び前記第２励起光反射部は、前記蛍光生成部から前記第１励起光反射部及び前記第２励起光反射部を見たとき、前記第１励起光反射面及び前記第２励起光反射面が互い違いに配置されるよう構成されていることが好ましい。
【００１５】
このような構成とすることにより、励起光生成部から射出された励起光を所定の方向に向けて反射するように第１励起光反射面を配置するとともに、第１励起光反射部から蛍光生成部へと向かう励起光を遮らない位置に第２励起光反射面を配置することが可能となる。
【００１６】
［４］本発明の光源装置においては、前記第１励起光反射部は、前記蛍光生成部において前記蛍光の生成に関わることなく散乱又は反射された前記励起光を通過する通過領域をさらに有し、前記第２励起光反射部は、前記第２励起光反射面として単一の第２励起光反射面を有し、前記蛍光生成部から前記第１励起光反射部及び前記第２励起光反射部を見たとき、前記第２励起光反射部は、前記第１励起光反射部の奥側に配置されていることが好ましい。
【００１７】
このような構成とすることによっても、励起光生成部から射出された励起光を所定の方向に向けて反射するように第１励起光反射面を配置するとともに、第１励起光反射部から蛍光生成部へと向かう励起光を遮らない位置に第２励起光反射面を配置することが可能となる。
【００１８】
また、このような構成とすることにより、第２励起光反射部を、単一の第２励起光反射面を有するものとして簡易に構成することが可能となる。
【００１９】
［５］本発明の光源装置においては、前記第１励起光反射部は、前記第１励起光反射面として単一の第１励起光反射面を有し、前記第２励起光反射部は、前記第１励起光反射面からの前記励起光を通過する通過領域をさらに有し、前記蛍光生成部から前記第１励起光反射部及び前記第２励起光反射部を見たとき、前記第２励起光反射部は、前記第１励起光反射部の手前側に配置されていることが好ましい。
【００２０】
このような構成とすることによっても、励起光生成部から射出された励起光を所定の方向に向けて反射するように第１励起光反射面を配置するとともに、第１励起光反射部から蛍光生成部へと向かう励起光を遮らない位置に第２励起光反射面を配置することが可能となる。
【００２１】
また、このような構成とすることにより、第１励起光反射部を、単一の第１励起光反射面を有するものとして簡易に構成することが可能となる。
【００２２】
［６］本発明の光源装置においては、前記第１励起光反射面は、前記励起光を反射し前記蛍光を通過させるダイクロイックミラーからなることが好ましい。
【００２３】
このような構成とすることにより、励起光生成部からの励起光を反射するとともに蛍光生成部からの蛍光を通過させる第１励起光反射面とすることが可能となる。
【００２４】
［７］本発明の光源装置においては、前記第１励起光反射面は、一方の偏光からなる光を反射し他方の偏光からなる光を通過させる偏光ビームスプリッターからなり、前記励起光生成部から射出された前記励起光が前記一方の偏光からなる励起光として前記第１励起光反射部に入射するように構成されていることが好ましい。
【００２５】
このような構成とすることにより、励起光生成部からの励起光を反射するとともに蛍光生成部からの蛍光のうち少なくとも一部（他方の偏光からなる蛍光）を通過させる第１励起光反射面とすることが可能となる。
また、この場合、他方の偏光からなる未利用励起光は他方の偏光からなる蛍光とともに第１励起光反射面を通過するため、他方の偏光からなる未利用励起光を色光として利用することが可能となる。
【００２６】
［８］本発明の光源装置においては、前記第２励起光反射面は、前記励起光を反射し前記蛍光を通過させるダイクロイックミラーからなることが好ましい。
【００２７】
このような構成とすることにより、蛍光生成部で生成された蛍光を通過させるとともに未利用励起光を蛍光層に向けて反射する第２励起光反射面とすることが可能となる。
【００２８】
［９］本発明の光源装置においては、前記蛍光生成部は、前記集光光学系で集光された前記励起光がデフォーカス状態で前記蛍光層に入射する位置に配置されていることが好ましい。
【００２９】
このような構成とすることにより、蛍光層に過大な熱的負荷を与えることなく蛍光を得ることができるため、蛍光層の劣化や焼損を抑制して光源装置を長寿命化することが可能となる。
【００３０】
［１０］本発明のプロジェクターは、本発明の光源装置を備える照明装置と、前記照明装置からの光を画像情報に応じて変調する光変調装置と、前記光変調装置からの変調光を投写画像として投写する投写光学系とを備えることを特徴とする。
【００３１】
このため、本発明のプロジェクターによれば、未利用励起光を有効利用することで励起光の利用効率を高くすることが可能な本発明の光源装置を備えるため、従来のプロジェクターよりも高輝度化が可能なプロジェクターとなる。
【図面の簡単な説明】
【００３２】
【図１】実施形態１に係るプロジェクター１０００の光学系を示す平面図。
【図２】実施形態１に係る光源装置１０における光の流れを説明するために示す図。
【図３】実施形態１における固体光源アレイ３０の正面図。
【図４】実施形態１における固体光源３４の発光強度特性、蛍光体の発光強度特性及び第２固体光源２３４の発光強度特性を示すグラフ。
【図５】実施形態１における第１励起光反射部５０及び第２励起光反射部８０を説明するために示す図。
【図６】実施形態２に係る光源装置１２における光の流れを説明するために示す図。
【図７】実施形態２における第１励起光反射部５０及び第２励起光反射部８１を説明するために示す図。
【図８】実施形態３に係る光源装置１４における光の流れを説明するために示す図。
【図９】実施形態３における第１励起光反射部５１及び第２励起光反射部８０を説明するために示す図。
【図１０】変形例１における第１励起光反射部５４及び第２励起光反射部８１を説明するために示す図。
【図１１】変形例２における第１励起光反射部５１及び第２励起光反射部８４を説明するために示す図。
【図１２】変形例３に係る光源装置１８の光学系を示す平面図。
【発明を実施するための形態】
【００３３】
以下、本発明の光源装置及びプロジェクターについて、図に示す実施の形態に基づいて説明する。
【００３４】
［実施形態１］
まず、実施形態１に係るプロジェクター１０００の構成を説明する。
【００３５】
図１は、実施形態１に係るプロジェクター１０００の光学系を示す平面図である。
図２は、実施形態１に係る光源装置１０における光の流れを説明するために示す図である。図２（ａ）は固体光源アレイ３０から射出された青色光が蛍光層７２に到達するまでの光の流れを示す図であり、図２（ｂ）は蛍光生成部７０からの蛍光及び未利用励起光（未利用青色光）が第１励起光反射部５０及び第２励起光反射部８０に到達するまでの光の流れを示す図であり、図２（ｃ）は図２（ｂ）の後の光の流れを示す図である。
図３は、実施形態１における固体光源アレイ３０の正面図である。
図４は、実施形態１における固体光源３４の発光強度特性、蛍光体の発光強度特性及び第２固体光源２３４の発光強度特性を示すグラフである。図４（ａ）は固体光源３４の発光強度特性を示すグラフであり、図４（ｂ）は蛍光層７２に含まれる蛍光体の発光強度特性を示すグラフであり、図４（ｃ）は第２固体光源２３４の発光強度特性を示すグラフである。発光強度特性とは、光源であれば電圧を印加したときに、蛍光体であれば励起光が入射したときに、どのような波長の光をどの程度の強度で射出するのかという特性のことをいう。グラフの縦軸は相対発光強度を表し、発光強度が最も強い波長における発光強度を１としている。グラフの横軸は波長を表す。
図５は、実施形態１における第１励起光反射部５０及び第２励起光反射部８０を説明するために示す図である。図５（ａ）は第１励起光反射部５０及び第２励起光反射部８０の斜視図であり、図５（ｂ）は第１励起光反射部５０及び第２励起光反射部８０を集光光学系６０側から見た図である。
なお、各図面中において、符号Ｒは赤色光を示し、符号Ｇは緑色光を示し、符号Ｂは青色光を示す。
【００３６】
実施形態１に係るプロジェクター１０００は、図１に示すように、照明装置１００と、第２照明装置２００と、色分離導光光学系３００と、光変調装置としての３つの液晶光変調装置４００Ｒ，４００Ｇ，４００Ｂと、クロスダイクロイックプリズム５００と、投写光学系６００とを備える。
【００３７】
照明装置１００は、光源装置１０と、第１レンズアレイ１２０と、第２レンズアレイ１３０と、偏光変換素子１４０と、重畳レンズ１５０とを備える。照明装置１００は、赤色光及び緑色光を含む蛍光を射出する。
【００３８】
光源装置１０は、図１及び図２に示すように、励起光生成部２０と、第１励起光反射部５０と、集光光学系６０と、蛍光生成部７０と、第２励起光反射部８０とを備える。
励起光生成部２０は、固体光源アレイ３０及びコリメーターレンズアレイ４０を有する。
【００３９】
固体光源アレイ３０は、図３に示すように、基板３２と、励起光を生成する２５個の固体光源３４とを有する。固体光源アレイ３０において、固体光源３４は、５行５列のマトリクス状に配置されている。図３においては、最も左上の固体光源３４のみに符号を付している。
なお、本発明の光源装置においては、固体光源の数は２５個に限定されず、複数、つまり２個以上であればよい。
【００４０】
基板３２は、固体光源３４を搭載する機能を有する。詳細な説明は省略するが、基板３２は、固体光源３４に対する電力の供給を仲介する機能や、固体光源３４で発生する熱を放熱する機能等を併せて有する。
【００４１】
固体光源３４は、励起光として青色光（発光強度のピーク：約４６０ｎｍ、図４（ａ）参照。）を射出する半導体レーザーからなる。当該半導体レーザーは、図３に示すように、長方形形状の発光領域を有する。半導体レーザーにおける発光領域の大きさは、例えば、長辺が８μｍ、短辺が２μｍである。半導体レーザーとしては、発光領域の短辺方向に沿った拡がり角が、発光領域の長辺方向に沿った拡がり角の３倍以上の大きさとなる半導体レーザーを好適に用いることができる。
なお、励起光としての青色光としては、蛍光体での変換効率を考慮して、比較的短波長（４４０ｎｍ〜４５０ｎｍ）の青色光を用いてもよい。
固体光源３４は、第１励起光反射部５０に対してｓ偏光からなる青色光を射出する。このため、固体光源アレイ２０から射出された青色光は、ｓ偏光からなる青色光として第１励起光反射部５０に入射する。なお、固体光源アレイから射出された励起光がｓ偏光からなる励起光として第１励起光反射部に入射するようになるためには、上記のようにｓ偏光からなる励起光を射出する固体光源を用いる他にも、第１励起光反射部に対してｐ偏光からなる励起光を射出する固体光源とλ／２板とを用いてもよい。
【００４２】
コリメーターレンズアレイ４０は、複数の固体光源３４に対応して設けられ、複数の固体光源３４で生成された青色光をそれぞれ略平行化する複数のコリメーターレンズ４２を有する。複数のコリメーターレンズ４２は、５行５列のマトリクス状に配置されている。コリメーターレンズ４２は、平凸レンズからなる。
コリメーターレンズアレイ４０は、複数のコリメーターレンズ４２における凸面が固体光源アレイ３０側を向くように配置されている。なお、コリメーターレンズアレイは、複数のコリメーターレンズにおける平面が固体光源側を向くように配置されていてもよい。
なお、上記のような配置の場合には、コリメーターレンズの凸面は、双曲面（非球面）からなることが好ましい。
【００４３】
第１励起光反射部５０は、図１、図２及び図５に示すように、励起光生成部２０から射出された青色光を所定の方向に向けて反射する第１励起光反射面を有する。第１励起光反射部５０は、第１励起光反射面としてストライプ状に形成された複数の第１励起光反射面５２を有する。なお、図１及び図２においては、１つの第１励起光反射面５２のみに符号を付している。後述する図６及び図１２においても同様である。
第１励起光反射面５２は、蛍光生成部７０で生成された赤色光及び緑色光を含む蛍光（後述）を通過させ、青色光を反射するダイクロイックミラーからなる。なお、図５（ｂ）において符号Ｌ（最も左上のみ表示）で示すのは、固体光源アレイ３０からの光が入射する位置である。後述する図７（ｂ）、図９（ｂ）及び図１０（ｂ）においても同様である。
【００４４】
集光光学系６０は、第１励起光反射部５０で反射された青色光を所定の集光位置に集光する。また、蛍光生成部７０からの光を略平行化する。
集光光学系６０は、図１に示すように、第１レンズ６２及び第２レンズ６４を備える。
第１レンズ６２及び第２レンズ６４は、両凸レンズからなる。なお、第１レンズ及び第２レンズの形状は、上記形状に限定されるものではなく、要するに、第１レンズと第２レンズとからなる集光光学系が、第１励起光反射部で反射された励起光を所定の集光位置に集光するようになる形状であればよい。また、集光光学系を構成するレンズの枚数は、１枚であってもよく、３枚以上であってもよい。
【００４５】
蛍光生成部７０は、所定の集光位置の近傍に位置し、集光光学系６０で集光された励起光（青色光）から赤色光及び緑色光を含む蛍光を生成する蛍光層７２と、蛍光層７２における集光光学系６０の反対側に位置する反射部材７４とを有する。
蛍光生成部７０は、集光光学系６０で集光された青色光がデフォーカス状態で蛍光層７２に入射する位置に配置されている。
【００４６】
蛍光層７２は、ＹＡＧ系蛍光体である（Ｙ，Ｇｄ）３（Ａｌ，Ｇａ）５Ｏ１２：Ｃｅを含有する層からなる。なお、蛍光層は、（Ｙ，Ｇｄ）３（Ａｌ，Ｇａ）５Ｏ１２：Ｃｅ以外のＹＡＧ系蛍光体を含有する層からなるものであってもよいし、シリケート系蛍光体を含有する層からなるものであってもよいし、ＴＡＧ系蛍光体を含有する層からなるものであってもよい。また、主励起光を赤色光に変換する蛍光体（例えばＣａＡｌＳｉＮ３赤色蛍光体）と、主励起光を緑色に変換する蛍光体（例えばβサイアロン緑色蛍光体）との混合物を含有する層からなるものであってもよい。
蛍光層７２は、励起光生成部２０から射出された青色光を赤色光（発光強度のピーク：約６１０ｎｍ）及び緑色光（発光強度のピーク：約５５０ｎｍ）を含む蛍光に変換して射出する（図４（ｂ）参照。）。
【００４７】
反射部材７４は、蛍光層７２と接する側を鏡面加工したアルミニウム板からなる。なお、本発明における反射部材は上記のものに限られるものではなく、各種金属板、蒸着により反射面を形成したガラス板等からなるものを用いることもでき、放熱しやすさの観点から、各種金属板からなるものを用いることが好ましい。
【００４８】
第２励起光反射部８０は、図１、図２及び図５に示すように、第１励起光反射部５０から蛍光生成部７０へと向かう青色光を遮らない位置に配置され、蛍光生成部７０で生成された蛍光（赤色光及び緑色光）を通過させるとともに蛍光生成部７０において蛍光の生成に関わることなく散乱又は反射された青色光（未利用青色光）を蛍光層７２に向けて反射する第２励起光反射面を有する。第２励起光反射部８０は、第２励起光反射面としてストライプ状に形成された複数の第２励起光反射面８２を有する。第２励起光反射面８２は、青色光を反射し赤色光及び緑色光を含む蛍光を通過させるダイクロイックミラーからなる。なお、図１及び図２においては、１つの第２励起光反射面８２のみに符号を付している。後述する図８及び図１２においても同様である。
【００４９】
第１励起光反射部５０及び第２励起光反射部８０は、特に図５に示すように、蛍光生成部７０から第１励起光反射部５０及び第２励起光反射部８０を見たとき、第１励起光反射面５２及び第２励起光反射面８２が互い違いに配置されるよう構成されている。
【００５０】
ここで、図２を用いて光源装置１０における光の流れを説明する。なお、図２において、（Ｂ）は蛍光生成部７０において蛍光の生成に関わることなく散乱又は反射された青色光を示す。後述する図６及び図８においても同様である。
まず、図２（ａ）に示すように、固体光源アレイ３０における複数の固体光源３４から射出された青色光は、コリメーターレンズアレイ４０における複数のコリメーターレンズ４２でそれぞれ略平行化される。その後に、青色光はそれぞれ対応する第１励起光反射面５２で反射され、集光光学系６０で集光され、デフォーカスした状態で蛍光層７２に入射する。
【００５１】
青色光は蛍光層７２において赤色光及び緑色光を含む蛍光に変換されるが、一部の青色光は散乱又は反射され、未利用青色光として蛍光とともに射出される。図２（ｂ）に示すように、蛍光及び青色光は集光光学系６０で略平行化され、第１励起光反射面５２及び第２励起光反射面８２に入射する。この後に、図２（ｃ）に示すように、第１励起光反射面５２及び第２励起光反射面８２に入射した蛍光は当該第１励起光反射面５２及び第２励起光反射面８２を通過する。一方、第２励起光反射面８２に入射した未利用青色光は当該第２励起光反射面８２に反射され、集光光学系６０を経て蛍光層７２に入射し、蛍光に変換される。なお、第１励起光反射面５２に入射した未利用青色光は、励起光生成部２０側に反射され、系外に排除される。
以上が光源装置１０における光の流れとなる。
【００５２】
第１レンズアレイ１２０は、図１に示すように、光源装置１０からの光を複数の部分光束に分割するための複数の第１小レンズ１２２を有する。第１レンズアレイ１２０は、光源装置１０からの光を複数の部分光束に分割する光束分割光学素子としての機能を有し、複数の第１小レンズ１２２が照明光軸１００ａｘと直交する面内に複数行・複数列のマトリクス状に配列された構成を有する。図示による説明は省略するが、第１小レンズ１２２の外形形状は、液晶光変調装置４００Ｒ，４００Ｇ，４００Ｂの画像形成領域の外形形状に関して略相似形である。
【００５３】
第２レンズアレイ１３０は、第１レンズアレイ１２０の複数の第１小レンズ１２２に対応する複数の第２小レンズ１３２を有する。第２レンズアレイ１３０は、重畳レンズ１５０とともに、第１レンズアレイ１２０の各第１小レンズ１２２の像を液晶光変調装置４００Ｒ，４００Ｇ，４００Ｂの画像形成領域近傍に結像させる機能を有する。第２レンズアレイ１３０は、複数の第２小レンズ１３２が照明光軸１００ａｘに直交する面内に複数行・複数列のマトリクス状に配列された構成を有する。
【００５４】
偏光変換素子１４０は、第１レンズアレイ１２０により分割された各部分光束の偏光方向を、偏光方向の揃った略１種類の直線偏光光として射出する偏光変換素子である。
偏光変換素子１４０は、光源装置１０からの光に含まれる偏光成分のうち他方の直線偏光成分をそのまま透過し、一方の直線偏光成分を照明光軸１００ａｘに垂直な方向に反射する偏光分離層と、偏光分離層で反射された一方の直線偏光成分を照明光軸１００ａｘに平行な方向に反射する反射層と、反射層で反射された一方の直線偏光成分を他方の直線偏光成分に変換する位相差板とを有している。
【００５５】
重畳レンズ１５０は、偏光変換素子１４０からの各部分光束を被照明領域で重畳させる。重畳レンズ１５０は、当該部分光束を集光して液晶光変調装置４００Ｒ，４００Ｇの画像形成領域近傍に重畳させるための光学素子である。重畳レンズ１５０の光軸と照明装置１００の光軸とが略一致するように、重畳レンズ１５０が配置されている。なお、重畳レンズ１５０は、複数のレンズを組み合わせた複合レンズで構成されていてもよい。第１レンズアレイ１２０、第２レンズアレイ１３０及び重畳レンズ１５０は、レンズインテグレーター光学系として、光源装置１０からの光をより均一にするインテグレーター光学系を構成する。
なお、レンズインテグレーター光学系の代わりにインテグレーターロッドを備えるロッドインテグレーター光学系を用いることもできる。
【００５６】
第２照明装置２００は、図１に示すように、第２光源装置２１０と、第１レンズアレイ２６０と、第２レンズアレイ２７０と、偏光変換素子２８０と、重畳レンズ２９０とを備える。第２照明装置は、青色光を射出する。
【００５７】
第２光源装置２１０は、青色光生成部２２０及び青色光散乱部２５０を備える。
青色光生成部２２０は、第２固体光源アレイ２３０及びコリメーターレンズアレイ２４０を有する。
第２固体光源アレイ２３０は、基本的には固体光源アレイ３０と同様の構成を有する。すなわち、第２固体光源アレイ２３０は、基板３２に対応する基板２３２（符号を図示せず。）及び２５個の固体光源３４に対応する２５個の固体光源２３４（符号を図示せず。）を有する。ただし、第２固体光源アレイ２３０が射出するのは励起光としての青色光ではなく、色光としての青色光である。
固体光源２３４は、色光として青色光（発光強度のピーク：約４６０ｎｍ、図４（ｃ）参照。）を射出する半導体レーザーからなる。
【００５８】
コリメーターレンズアレイ２４０は、コリメーターレンズアレイ４０と同様の構成を有する。図１において符号２４２で示すのは、コリメーターレンズアレイ２４０におけるコリメーターレンズである。
【００５９】
青色光散乱部２５０は、第２固体光源用集光光学系２５２と、散乱板２５４と、散乱板用コリメート光学系２５６とを備える。青色光散乱部２５０は、青色光生成部２２０からの青色光の均一性を高める機能を有する。
第２固体光源用集光光学系２５２は、青色光を集光する機能を有する。第２固体光源用集光光学系２５２は、２枚の両凸レンズからなる。なお、第２固体光源用集光光学系を構成するレンズの形状及びレンズの枚数は上記形状に限定されるものではなく、要するに、第２固体光源用集光光学系が、青色光を集光する機能を有するようになるような形状及び枚数であればよい。
【００６０】
散乱板２５４は、第２固体光源用集光光学系２５２からの青色光を散乱し、均一性を高める機能を有する。散乱板２５４としては、例えば、光学ガラスからなる磨りガラスを用いることができる。散乱板２５４は、第２固体光源用集光光学系２５２で集光された青色光がデフォーカス状態で入射する位置に配置されている。
【００６１】
散乱板用コリメート光学系２５６は、散乱板２５４で散乱された青色光を略平行化する機能を有する。散乱板用コリメート光学系２５６は、２枚の両凸レンズからなる。なお、散乱板用コリメート光学系を構成するレンズの形状及びレンズの枚数は上記形状に限定されるものではなく、要するに、散乱板用コリメート光学系が、青色光を略平行化する機能を有するようになるような形状及び枚数であればよい。
【００６２】
第１レンズアレイ２６０は第１レンズアレイ１２０と、第２レンズアレイ２７０は第２レンズアレイ１３０と、偏光変換素子２８０は偏光変換素子１４０と、重畳レンズ２９０は重畳レンズ１５０と、それぞれ同様の構成を有するため、説明を省略する。
第１レンズアレイ２６０、第２レンズアレイ２７０及び重畳レンズ２９０は、レンズインテグレーター光学系として、光源装置２１０からの光をより均一にするインテグレーター光学系を構成する。なお、レンズインテグレーター光学系の代わりにインテグレーターロッドを備えるロッドインテグレーター光学系を用いることもできる。
【００６３】
色分離導光光学系３００は、ダイクロイックミラー３１０、反射ミラー３２０，３３０，３４０を備える。色分離導光光学系３００は、照明装置１００からの光を赤色光及び緑色光に分離し、赤色光、緑色光及び第２照明装置２００からの青色光を照明対象となる液晶光変調装置４００Ｒ，４００Ｇ，４００Ｂに導光する機能を有する。
色分離導光光学系３００と、液晶光変調装置４００Ｒ，４００Ｇ，４００Ｂとの間には、集光レンズ３５０Ｒ，３５０Ｇ，３５０Ｂが配置されている。
【００６４】
ダイクロイックミラー３１０は、基板上に、所定の波長領域の光を反射して、他の波長領域の光を通過させる波長選択透過膜が形成されたミラーである。
ダイクロイックミラー３１０は、赤色光成分を通過して、緑色光を反射するダイクロイックミラーである。
反射ミラー３２０は、赤色光成分を反射する反射ミラーである。
反射ミラー３３０は、緑色光成分を反射する反射ミラーである。
反射ミラー３４０は、青色光成分を反射する反射ミラーである。
【００６５】
ダイクロイックミラー３１０を通過した赤色光は、反射ミラー３２０で反射され、集光レンズ３５０Ｒを通過して赤色光用の液晶光変調装置４００Ｒの画像形成領域に入射する。
ダイクロイックミラー３１０で反射された緑色光は、反射ミラー３３０でさらに反射され、集光レンズ３５０Ｇを通過して緑色光用の液晶光変調装置４００Ｇの画像形成領域に入射する。
第２照明装置２００からの青色光は、反射ミラー３４０で反射され、集光レンズ３５０Ｂを経て青色光用の液晶光変調装置４００Ｂの画像形成領域に入射する。
【００６６】
液晶光変調装置４００Ｒ，４００Ｇ，４００Ｂは、入射された色光を画像情報に応じて変調してカラー画像を形成するものであり、照明装置１００及び第２照明装置２００の照明対象となる。なお、図示を省略したが、各集光レンズと各液晶光変調装置４００Ｒ，４００Ｇ，４００Ｂとの間には、それぞれ入射側偏光板が介在配置され、各液晶光変調装置４００Ｒ，４００Ｇ，４００Ｂとクロスダイクロイックプリズム５００との間には、それぞれ射出側偏光板が介在配置される。これら入射側偏光板、液晶光変調装置４００Ｒ，４００Ｇ，４００Ｂ及び射出側偏光板によって、入射された各色光の光変調が行われる。
液晶光変調装置４００Ｒ，４００Ｇ，４００Ｂは、一対の透明なガラス基板に電気光学物質である液晶を密閉封入した透過型の液晶光変調装置であり、例えば、ポリシリコンＴＦＴをスイッチング素子として、与えられた画像信号に応じて、入射側偏光板から射出された１種類の直線偏光の偏光方向を変調する。
【００６７】
クロスダイクロイックプリズム５００は、射出側偏光板から射出された色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００６８】
クロスダイクロイックプリズム５００から射出されたカラー画像は、投写光学系６００によって拡大投写され、スクリーンＳＣＲ上で画像を形成する。
【００６９】
次に、実施形態１に係る光源装置１０及びプロジェクター１０００の効果を説明する。
【００７０】
実施形態１に係る光源装置１０によれば、蛍光の生成に関わることなく散乱又は反射された未利用励起光（未利用青色光）を蛍光層７２に向けて反射する第２励起光反射面８２を備えるため、蛍光層７２は上記した未利用励起光からも蛍光（赤色光及び緑色光）を生成することができるようになる。その結果、実施形態１に係る光源装置１０は、上記した未利用励起光を有効利用することで励起光（青色光）の利用効率を高くすることが可能な光源装置となる。
【００７１】
また、実施形態１に係る光源装置１０によれば、複数の固体光源３４で生成された励起光を集めて蛍光を生成するようにしているため、各固体光源３４に過大な熱的負荷を与えることなく光源装置を一層高輝度化することが可能となる。
【００７２】
また、実施形態１に係る光源装置１０によれば、従来の光源装置と同様に、特定波長の励起光を生成する固体光源３４を用いて所望の色光を得ることが可能となる。
【００７３】
また、実施形態１に係る光源装置１０によれば、固体光源３４が半導体レーザーからなるため、小型で高出力な光源装置となる。また、半導体レーザーは、集光性の良いレーザー光を射出するため、青色光を遮らない位置に第２励起光反射部８０を適正に配置することが容易になり、第２励起光反射部８０を設けることに起因して青色光の利用効率を低下させることがなくなる。
【００７４】
また、実施形態１に係る光源装置１０によれば、複数の固体光源３４がマトリクス状に配置され、蛍光生成部７０から第１励起光反射部５０及び第２励起光反射部８０を見たとき、ストライプ状に形成された第１励起光反射面５２及びストライプ状に形成された第２励起光反射面８２が互い違いに配置されるよう構成されているため、励起光生成部２０から射出された励起光を所定の方向に向けて反射するように第１励起光反射面５２を配置するとともに、第１励起光反射部５０から蛍光生成部７０へと向かう励起光を遮らない位置に第２励起光反射面８２を配置することが可能となる。
【００７５】
また、実施形態１に係る光源装置１０によれば、第１励起光反射面５２が励起光を反射し蛍光を通過させるダイクロイックミラーからなるため、励起光生成部２０からの励起光を反射するとともに蛍光生成部７０からの蛍光を通過させる第１励起光反射面とすることが可能となる。
【００７６】
また、実施形態１に係る光源装置１０によれば、第２励起光反射面８２が励起光を反射し蛍光を通過させるダイクロイックミラーからなるため、蛍光生成部７０で生成された蛍光を通過させるとともに未利用励起光を蛍光層７２に向けて反射する第２励起光反射面とすることが可能となる。
【００７７】
また、実施形態１に係る光源装置１０によれば、蛍光生成部７０が集光光学系６０で集光された励起光がデフォーカス状態で蛍光層７２に入射する位置に配置されているため、蛍光層７２に過大な熱的負荷を与えることなく蛍光を得ることができ、蛍光層７２の劣化や焼損を抑制して光源装置を長寿命化することが可能となる。
【００７８】
実施形態１に係るプロジェクター１０００によれば、未利用励起光を有効利用することで励起光の利用効率を高くすることが可能な実施形態１に係る光源装置１０を備えるため、従来のプロジェクターよりも高輝度化が可能なプロジェクターとなる。
【００７９】
［実施形態２］
図６は、実施形態２に係る光源装置１２における光の流れを説明するために示す図である。図６（ａ）は固体光源アレイ３０から射出された青色光が蛍光層７２に到達するまでの光の流れを示す図であり、図６（ｂ）は蛍光生成部７０からの蛍光及び未利用青色光が第１励起光反射部５０及び第２励起光反射部８１に到達するまでの光の流れを示す図であり、図６（ｃ）は図６（ｂ）の後の光の流れを示す図である。
図７は、実施形態２における第１励起光反射部５０及び第２励起光反射部８１を説明するために示す図である。図７（ａ）は第１励起光反射部５０及び第２励起光反射部８１の斜視図であり、図７（ｂ）は第１励起光反射部５０及び第２励起光反射部８１を集光光学系６０側から見た図である。
【００８０】
実施形態２に係る光源装置１２は、基本的には実施形態１に係る光源装置１０と同様の構成を有するが、第２励起光反射部の構成が実施形態１に係る光源装置１０の場合とは異なる。すなわち、実施形態２に係る光源装置１２においては、図６及び図７に示すように、第２励起光反射部８１は、第２励起光反射面として単一の第２励起光反射面を有し、蛍光生成部７０から第１励起光反射部５０及び第２励起光反射部８１を見たとき、第２励起光反射部８１は、第１励起光反射部５０の奥側に配置されている。
【００８１】
第１励起光反射部５０は、図６及び図７に示すように、実施形態１における第１励起光反射部と同様の構成を有する。この場合、第１励起光反射部５０は、第１励起光反射面５２同士の隙間に、蛍光生成部７０において蛍光の生成に関わることなく散乱又は反射された励起光の一部を通過する通過領域を有することとなる。
第２励起光反射部８１は、図６及び図７に示すように、単一の第２励起光反射面であり、蛍光（赤色光及び緑色光）を通過し青色光を反射する単一のダイクロイックミラーからなる。
【００８２】
このように、実施形態２に係る光源装置１２は、第２励起光反射部の構成が実施形態１に係る光源装置１０の場合とは異なるが、実施形態１に係る光源装置１０と同様に、蛍光の生成に関わることなく散乱又は反射された未利用励起光（未利用青色光）を蛍光層７２に向けて反射する第２励起光反射面（第２励起光反射部８１）を備えるため、蛍光層７２は上記した未利用励起光からも蛍光（赤色光及び緑色光）を生成することができるようになる。その結果、実施形態２に係る光源装置１２は、上記した未利用励起光を有効利用することで励起光（青色光）の利用効率を高くすることが可能な光源装置となる。
【００８３】
また、実施形態２に係る光源装置１２によれば、第２励起光反射部８１を、単一の第２励起光反射面を有するものとして簡易に構成することが可能となる。
【００８４】
なお、実施形態２に係る光源装置１２は、第２励起光反射部の構成が実施形態１に係る光源装置１０と異なる以外は、実施形態１に係る光源装置１０と同様の構成を有するため、実施形態１に係る光源装置１０が有する効果のうち該当する効果をそのまま有する。
【００８５】
［実施形態３］
図８は、実施形態３に係る光源装置１４における光の流れを説明するために示す図である。図８（ａ）は固体光源アレイ３０から射出された青色光が蛍光層７２に到達するまでの光の流れを示す図であり、図８（ｂ）は蛍光生成部７０からの蛍光及び未利用青色光が第１励起光反射部５１及び第２励起光反射部８０に到達するまでの光の流れを示す図であり、図８（ｃ）は図８（ｂ）の後の光の流れを示す図である。
図９は、実施形態３における第１励起光反射部５１及び第２励起光反射部８０を説明するために示す図である。図９（ａ）は第１励起光反射部５１及び第２励起光反射部８０の斜視図であり、図９（ｂ）は第１励起光反射部５１及び第２励起光反射部８０を集光光学系６０側から見た図である。
【００８６】
実施形態３に係る光源装置１４は、基本的には実施形態１に係る光源装置１０と同様の構成を有するが、第１励起光反射部と第２励起光反射部との構成が実施形態１に係る光源装置１０の場合とは異なる。すなわち、実施形態３に係る光源装置１４においては、図８及び図９に示すように、第１励起光反射部５１は、第１励起光反射面として単一の第１励起光反射面を有し、蛍光生成部７０から第１励起光反射部５１及び第２励起光反射部８０を見たとき、第２励起光反射部８０は、第１励起光反射部５１の手前側に配置されている。
【００８７】
第１励起光反射部５１は、図８及び図９に示すように、単一の第１励起光反射面であり、蛍光（赤色光及び緑色光）を通過し青色光を反射する単一のダイクロイックミラーからなる。
第２励起光反射部８０は、図８及び図９に示すように、配置される位置以外においては実施形態１における第２励起光反射部８０と同様の構成を有する。この場合、第２励起光反射部８０は、第２励起光反射面８２同士の隙間に、第１励起光反射面からの青色光を通過する通過領域を有することとなる。
【００８８】
このように、実施形態３に係る光源装置１４は、第１励起光反射部と第２励起光反射部との構成が実施形態１に係る光源装置１０の場合とは異なるが、実施形態１に係る光源装置１０と同様に、蛍光の生成に関わることなく散乱又は反射された未利用励起光（未利用青色光）を蛍光層７２に向けて反射する第２励起光反射面８２を備えるため、蛍光層７２は上記した未利用励起光からも蛍光（赤色光及び緑色光）を生成することができるようになる。その結果、実施形態２に係る光源装置１２は、上記した未利用励起光を有効利用することで励起光（青色光）の利用効率を高くすることが可能な光源装置となる。
【００８９】
また、実施形態３に係る光源装置１４によれば、第１励起光反射部５１を、単一の第１励起光反射面を有するものとして簡易に構成することが可能となる。
【００９０】
なお、実施形態３に係る光源装置１４は、第１励起光反射部と第２励起光反射部との構成が実施形態１に係る光源装置１０と異なる以外は、実施形態１に係る光源装置１０と同様の構成を有するため、実施形態１に係る光源装置１０が有する効果のうち該当する効果をそのまま有する。
【００９１】
以上、本発明を上記の実施形態に基づいて説明したが、本発明は上記の実施形態に限定されるものではない。その趣旨を逸脱しない範囲において種々の様態において実施することが可能であり、例えば、次のような変形も可能である。
【００９２】
（１）上記各実施形態においては、蛍光を通過し励起光を反射するダイクロイックミラーからなる第１励起光反射部を用いたが、本発明はこれに限定されるものではない。例えば、一方の偏光からなる光を反射し他方の偏光からなる光を通過させる偏光ビームスプリッターからなる第１励起光反射部を用いてもよい。この場合、励起光生成部からの励起光を反射するとともに蛍光生成部からの蛍光のうち少なくとも一部（他方の偏光からなる蛍光）を通過させる第１励起光反射面とすることが可能となる。また、この場合、他方の偏光からなる未利用励起光は他方の偏光からなる蛍光とともに第１励起光反射面を通過するため、他方の偏光からなる未利用励起光を色光として利用することが可能となる。
【００９３】
（２）上記実施形態２においては、第１励起光反射面としてストライプ状に形成された複数の第１励起光反射面５２を有する第１励起光反射部５０を用いたが、本発明はこれに限定されるものではない。図１０は、変形例１における第１励起光反射部５４及び第２励起光反射部８１を説明するために示す図である。図１０（ａ）は第１励起光反射部５４及び第２励起光反射部８１の斜視図であり、図１０（ｂ）は第１励起光反射部５４及び第２励起光反射部８１を集光光学系６０側から見た図である。変形例１における第１励起光反射部５４は、図１０に示すように、スポット状に配置された複数の第１励起光反射面５６及び未利用励起光の一部を通過する通過領域５８を有する。第１励起光反射面５６は蛍光を通過し励起光を反射するダイクロイックミラーからなり、通過領域５８は蛍光及び励起光を通過する材料（例えば、光学ガラス）からなる。例えば、上記のような第１励起光反射部を用いてもよい。
【００９４】
（３）上記実施形態３においては、第２励起光反射面としてストライプ状に形成された複数の第２励起光反射面８２を有する第２励起光反射部８０を用いたが、本発明はこれに限定されるものではない。図１１は、変形例２における第１励起光反射部５１及び第２励起光反射部８４を説明するために示す図である。図１１（ａ）は第１励起光反射部５１及び第２励起光反射部８４の斜視図であり、図１１（ｂ）は第１励起光反射部５１及び第２励起光反射部８４を集光光学系６０側から見た図である。変形例２における第２励起光反射部８４は、図１１に示すように、単一の第２励起光反射面８６及び第１励起光反射面からの励起光を通過するスポット状の通過領域８８を有する。第２励起光反射面８６は蛍光を通過し励起光を反射するダイクロイックミラーからなり、通過領域８８は第２励起光反射面に穿たれた貫通孔からなる。例えば、上記のような第２励起光反射部を用いてもよい。
【００９５】
（４）上記各実施形態においては、光源装置が蛍光（赤色光及び緑色光）のみを射出するように構成されているが、本発明はこれに限定されるものではない。図１２は、変形例３に係る光源装置１８の光学系を示す平面図である。図１２において、符号２２０で示すのは青色光生成部であり、当該青色光生成部２２０は第２固体光源アレイ２３０及びコリメーターレンズアレイ２４０を有する。青色光生成部２２０は実施形態１における青色光生成部２２０と同様の構成を有する。例えば、図１２に示すように、光源装置が青色光を射出する青色光生成部をさらに備え、蛍光（赤色光及び緑色光）とともに青色光を射出するように構成されていてもよい。なお、このような光源装置をプロジェクターに適用する場合には、別途第２照明装置を用意する必要がなくなる。また、色分離導光光学系も現在広く用いられているものを使用することができるようになる。
【００９６】
（５）上記実施形態１においては、発光源として「半導体レーザーからなる第２固体光源２３４を有する第２固体光源アレイ２３０」を備える第２照明装置２００を用いたが、本発明はこれに限定されるものではない。要するに、第２照明装置が色光としての青色光を射出すればよく、例えば、発光源として発光ダイオードやハロゲンランプ等を備える第２照明装置を用いてもよい。
【００９７】
（６）上記各実施形態においては、励起光として青色光を生成する複数の固体光源３４を有する固体光源アレイ３０と、青色光から赤色光及び緑色光を含む蛍光を生成する蛍光層７２と、励起光（青色光）及び蛍光（赤色光及び緑色光）に対応した第１励起光反射部及び第２励起光反射部とを用いたが、本発明はこれに限定されるものではない。例えば、励起光として紫色光又は紫外光を生成する複数の固体光源３４を有する固体光源アレイと、紫色光又は紫外光から赤色光、緑色光及び青色光を含む蛍光を生成する蛍光層と、励起光（紫色光又は紫外光）及び蛍光（赤色光、緑色光及び青色光）に対応した第１励起光反射部及び第２励起光反射部とを用いてもよい。この場合、白色光を射出する光源装置とすることができる。なお、このような光源装置をプロジェクターに適用する場合には、別途第２照明装置を用意する必要がなくなる。また、色分離導光光学系も現在広く用いられているものを使用することができるようになる。
【００９８】
（７）上記実施形態１においては、透過型のプロジェクターを用いたが、本発明はこれに限定されるものではない。例えば、反射型のプロジェクターを用いてもよい。ここで、「透過型」とは、透過型の液晶表示装置等のように光変調手段としての光変調装置が光を透過するタイプであることを意味しており、「反射型」とは、反射型の液晶表示装置等のように光変調手段としての光変調装置が光を反射するタイプであることを意味している。反射型のプロジェクターにこの発明を適用した場合にも、透過型のプロジェクターと同様の効果を得ることができる。
【００９９】
（８）上記実施形態１においては、プロジェクターの光変調装置として液晶光変調装置を用いたが、本発明はこれに限定されるものではない。光変調装置としては、一般に、画像情報に応じて入射光を変調するものであればよく、マイクロミラー型光変調装置等を用いてもよい。マイクロミラー型光変調装置としては、例えば、ＤＭＤ（デジタルマイクロミラーデバイス）（ＴＩ社の商標）を用いることができる。
【０１００】
（９）上記実施形態１においては、３つの液晶光変調装置を用いたプロジェクターを例示して説明したが、本発明はこれに限定されるものではない。１つ、２つ又は４つ以上の液晶光変調装置を用いたプロジェクターにも適用可能である。
【０１０１】
（１０）本発明は、投写画像を観察する側から投写するフロント投写型プロジェクターに適用する場合にも、投写画像を観察する側とは反対の側から投写するリア投写型プロジェクターに適用する場合にも可能である。
【０１０２】
（１１）上記各実施形態においては、本発明の光源装置をプロジェクターに適用した例について説明したが、本発明はこれに限定されるものではない。例えば、本発明の光源装置を他の光学機器（例えば、光ディスク装置、自動車のヘッドランプ、照明機器等。）に適用することもできる。
【符号の説明】
【０１０３】
１０，１２，１４，１８…光源装置、２０…励起光生成部、３０…固体光源アレイ、３２…基板、３４…固体光源、４０，２４０…コリメーターレンズアレイ、４２，２４２…コリメーターレンズ、５０，５１，５４…第１励起光反射部、５２，５６…第１励起光反射面、５８…（第１励起光反射部の）通過領域、６０…集光光学系、６２…第１レンズ、６４…第２レンズ、７０…蛍光生成部、７２…蛍光層、７４…反射部材、８０，８１，８４…第２励起光反射部、８２，８６…第２励起光反射面、８８…（第２励起光反射部の）通過領域、１００…照明装置、１００ａｘ…照明光軸、１２０，２６０…第１レンズアレイ、１２２，２６２…第１小レンズ、１３０，２７０…第２レンズアレイ、１３２，２７２…第２小レンズ、１４０，２８０…偏光変換素子、１５０，２９０…重畳レンズ、２００…第２照明装置、２００ａｘ…第２照明光軸、２１０…第２光源装置、２２０…青色光生成部、２３０…第２固体光源アレイ、２５０…青色光散乱部、２５２…第２固体光源用集光光学系、２５４…散乱板、２５６…散乱板用コリメーター光学系、３００…色分離導光光学系、３１０…ダイクロイックミラー、３２０，３３０，３４０…反射ミラー、３５０Ｒ，３５０Ｇ，３５０Ｂ…集光レンズ、４００Ｒ，４００Ｇ，４００Ｂ…液晶光変調装置、５００…クロスダイクロイックプリズム、６００…投写光学系、１０００…プロジェクター、ＳＣＲ…スクリーン
【図１】
2012013977.tif 000003
【図２】
2012013977.tif 000004
【図３】
2012013977.tif 000005
【図４】
2012013977.tif 000006
【図５】
2012013977.tif 000007
【図６】
2012013977.tif 000008
【図７】
2012013977.tif 000009
【図８】
2012013977.tif 000010
【図９】
2012013977.tif 000011
【図１１】
2012013977.tif 000012
【図１２】
2012013977.tif 000013
【図１０】
2012013977.tif 000014